(57)【特許請求の範囲】
【請求項１】
サーバに接続可能なレジ端末との間で決済情報のやりとりが可能な決済用ユーザ端末であって、
コードを読み取る読み取り装置と、
ユーザの操作入力を受け付ける操作入力装置と、
前記サーバまたは前記レジ端末と通信するユーザ通信装置と、
前記操作入力装置及び前記ユーザ通信装置を制御するユーザ制御装置と
を備え、
前記ユーザ制御装置は、前記レジ端末における商品の金額入力途中に、前記読み取り装置によって前記レジ端末から提示されるコードを読み取り、前記操作入力装置を介して決済方法の選択を受け付けることによる決済方法の変更を前記レジ端末または前記サーバに指示する
ことを特徴とする決済用ユーザ端末。
【請求項２】
請求項１に記載の決済用ユーザ端末において、
前記レジ端末における前記商品の金額入力途中に、前記操作入力装置を介して前記決済方法が選択された場合、前記ユーザ制御装置は、入力された前記商品の情報を
（１）前記レジ端末から受信して、あるいは、
（２）前記レジ端末を介して前記サーバから受信して、あるいは、
（３）前記サーバから受信して、
前記決済用ユーザ端末上の表示装置に表示させる
ことを特徴とする決済用ユーザ端末。
【請求項３】
請求項２に記載の決済用ユーザ端末において、
前記レジ端末における前記商品の金額入力途中に前記決済用ユーザ端末上の表示装置に表示させる商品の情報は、入力済みの全ての商品の情報が含まれる
ことを特徴とする決済用ユーザ端末。
【請求項４】
請求項２又は３に記載の決済用ユーザ端末において、
前記ユーザ通信装置は、
（１）前記レジ端末のレジ通信装置との通信により、あるいは、
（２）前記レジ端末を介した前記サーバとの通信により、あるいは、
（３）前記サーバとの通信により、
前記入力された商品の情報を受信する
ことを特徴とする決済用ユーザ端末。
【請求項５】
サーバに接続可能なレジ端末との間で決済情報のやりとりが可能な決済用ユーザ端末であって、
コードを読み取る読み取り装置と、
ユーザの操作入力を受け付ける操作入力装置と、
前記サーバまたは前記レジ端末と通信するユーザ通信装置と、
前記操作入力装置及び前記ユーザ通信装置を制御するユーザ制御装置と
を備え、
前記ユーザ制御装置は、前記レジ端末における商品の金額入力途中に、前記読み取り装置によって前記レジ端末から提示されるコードを読み取り、前記操作入力装置を介して決済方法の選択を受け付けることによる決済方法の変更を前記レジ端末または前記サーバに指示した後に、入力された前記商品の情報を前記サーバまたは前記レジ端末から受信して前記決済用ユーザ端末上の表示装置に表示させる
ことを特徴とする決済用ユーザ端末。
【請求項６】
サーバに接続可能なレジ端末と、決済用ユーザ端末とを含む決済システムであって、
前記レジ端末は、
ユーザが購入する商品を個別に入力する商品入力装置と、
入力した前記商品毎に価格を加算して合計額を算出する決済情報算出装置と、
前記決済用ユーザ端末と通信するレジ通信装置と、
前記ユーザ側を向いて配置されるレジ表示装置と、
前記商品入力装置、前記決済情報算出装置、前記レジ通信装置及び前記レジ表示装置を制御するレジ制御装置と
を備え、
前記決済用ユーザ端末は、
コードを読み取る読み取り装置と、
前記ユーザの操作入力を受け付ける操作入力装置と、
前記サーバまたは前記レジ通信装置と通信するユーザ通信装置と、
前記操作入力装置及び前記ユーザ通信装置を制御するユーザ制御装置と
を備え、
前記ユーザ制御装置は、前記レジ端末における商品の金額入力途中に、前記読み取り装置によって前記レジ端末から提示されるコードを読み取り、前記操作入力装置を介して決済方法の選択を受け付けることによる決済方法の変更を前記サーバまたは前記レジ端末に通知する
ことを特徴とする決済システム。
【請求項７】
コードを読み取る読み取り装置と、ユーザの操作入力を受け付ける操作入力装置と、レジ端末と通信するユーザ通信装置と、前記操作入力装置及び前記ユーザ通信装置を制御するユーザ制御装置とを備え、前記レジ端末との間で決済情報のやりとりが可能な決済用ユーザ端末上で動作するプログラムであって、
前記ユーザ制御装置に、前記レジ端末における商品の金額入力途中に、前記読み取り装置によって前記レジ端末から提示されるコードを読み取り、前記操作入力装置を介して決済方法の選択を受け付けることによる決済方法の変更を前記レジ端末または前記サーバに指示するステップを実行する
ことを特徴とするプログラム。
【請求項８】
ユーザが購入する商品を個別に入力する商品入力装置と、入力した前記商品毎に価格を加算して合計額を算出する決済情報算出装置と、決済用ユーザ端末と通信するレジ通信装置と、前記ユーザ側を向いて配置されるレジ表示装置と、前記商品入力装置、前記決済情報算出装置、前記レジ通信装置及び前記レジ表示装置を制御するレジ制御装置とを備えるレジ端末と、
コードを読み取る読み取り装置と、前記ユーザの操作入力を受け付ける操作入力装置と、前記レジ通信装置と通信するユーザ通信装置と、前記操作入力装置及び前記ユーザ通信装置を制御するユーザ制御装置とを備える決済用ユーザ端末と
を含む決済システム上で、前記レンジ端末と前記決済用ユーザ端末との間で通信をさせながら動作するプログラムであって、
前記ユーザ制御装置に、前記レジ端末における商品の金額入力途中に、前記読み取り装置によって前記レジ端末から提示されるコードを読み取らせ、前記操作入力装置を介して決済方法の選択を受け付けることによる決済方法の変更を前記レジ端末に指示させるステップを実行する
ことを特徴とするプログラム。
【発明の詳細な説明】
【技術分野】
【０００１】
本発明は、店舗での決済に用いられる決済用ユーザ端末およびこれを用いる決済システム並びにこれらで実行されるプログラムに関する。
【背景技術】
【０００２】
従来、店舗での決済にスマートフォン等の携帯端末（決済用ユーザ端末。ここでいう「決済用」とは、必ずしも専用端末である必要はなく、決済に使用できる端末であれば足りる趣旨である。したがって、単に「ユーザ端末」あるいは「顧客端末」ともいう。）が用いられることが急速に広まっている。
【０００３】
例えば、代金支払後にＰＯＳデータを携帯端末に送信するＰＯＳデータ配信システムが提案されている（特許文献１）。
【０００４】
すなわち、特許文献１には、店舗のレジ端末に配置され、顧客が商品の代金を支払った時に、顧客の携帯端末から個人ＩＤを受信する受信手段と、前記レジ端末に接続され、販売日時、商品名、及び価格情報を含むＰＯＳデータを前記個人ＩＤと関連付けして記憶するＰＯＳデータ管理サーバと、前記ＰＯＳデータ管理サーバとネットワークを介して接続され、前記ＰＯＳデータ管理サーバから前記個人ＩＤに対応するＰＯＳデータを受信する顧客の受信端末とを備えていることを特徴とするＰＯＳデータ配信システムが開示されている。
【０００５】
また、精算時に個人情報を使わずに電子レシートを顧客端末に発行する電子レシート発行システムも提案されている（特許文献２）。
【０００６】
すなわち、特許文献２には、精算端末において商取引の精算が行われたときに、レシートデータ、精算端末ＩＤおよび精算日時情報をサーバに送信するレシートデータ送信部と、精算が完了した後に顧客端末において精算端末ＩＤを取得する精算端末ＩＤ取得部と、精算端末ＩＤおよびＩＤ取得日時情報を含むレシート発行要求をサーバに送信するレシート発行要求部と、精算端末ＩＤが一致し、かつ、精算の完了から所定時間以内に精算端末ＩＤの取得が行われているレシートデータをレシートデータ記憶部から抽出する電子レシート発行部とを備え、個人情報を使わずに顧客のレシートデータを特定することができるようにすることが開示されている。
【０００７】
また、通常の携帯電話をＰＯＳ端末として用いることも提案されている（特許文献３）。
【０００８】
すなわち、特許文献３には、ＰＯＳアプリケーションプログラムをダウンロードし、当該ＰＯＳアプリケーションプログラムに基づいて会計処理を行うと共に、通常の携帯電話として利用可能な携帯電話ＰＯＳ端末と、前記携帯電話ＰＯＳ端末に対し、無線通信によって前記ＰＯＳアプリケーションプログラムを提供すると共に、その対価を得るシステムサーバと、により構成されることを特徴とするＰＯＳシステムが開示されている。
【先行技術文献】
【特許文献】
【０００９】
【特許文献１】特開２００６−２４４１９７号公報
【特許文献２】特開２０１６−１２６７６１号公報
【特許文献３】特開２００４−１６４１９５号公報
【発明の概要】
【発明が解決しようとする課題】
【００１０】
しかしながら、従来技術においては、会計時（商品の金額入力途中を含む）における顧客（ユーザ）の利便性を向上する余地が残されている。
【課題を解決するための手段】
【００１１】
そこで、本発明の一実施形態にかかる決済用ユーザ端末は、サーバに接続可能なレジ端末との間で決済情報のやりとりが可能なものであって、ユーザの操作入力を受け付ける操作入力装置と、前記サーバまたは前記レジ端末と通信するユーザ通信装置と、前記操作入力装置及び前記ユーザ通信装置を制御するユーザ制御装置とを備え、前記ユーザ制御装置は、前記レジ端末における商品の金額入力途中に、前記操作入力装置を介して決済方法の選択を受け付けることを特徴とする。
【００１２】
本実施形態によれば、レジ端末における商品の金額入力途中に、操作入力装置を用いた決済方法の選択が可能となる。従って、ユーザ側の任意のタイミングで決済方法を選択できるという点で、ユーザの自由度を向上することが可能となる。
【００１３】
ここに言う「商品の金額入力途中」とは、レジ端末で複数の商品を入力する場合に、例えば、１つ目の商品を入力した後、２つ目の商品を入力する前を含む意である。また、「会計時」には、最初の商品の金額入力開始前及び最後の商品の金額入力終了後を含む。したがって、商品の金額入力途中に加えて、最初の商品の金額入力開始前又は最後の商品の金額入力終了後において、操作入力装置を用いて決済方法を選択可能に構成することもできる。
【００１４】
決済方法としては、例えば、電子マネー支払、クレジットカード支払、ポイント利用のいずれかを含んでもよい。その場合、電子マネー支払又はクレジットカード支払とポイント利用とを組み合わせてもよい。その際、ポイントは、全ポイント又は一部ポイントのいずれの利用であってもよい。
【００１５】
前記レジ端末における前記商品の金額入力途中に、前記操作入力装置を介して前記決済方法が選択された場合、前記ユーザ制御装置は、入力された前記商品の情報を前記レジ端末から受信して前記ユーザ表示装置に表示させてもよい。
【００１６】
本実施形態によれば、レジ端末における商品の金額入力途中に、入力された商品の情報をユーザ表示装置に表示させる。従って、例えば、レジ端末の表示をユーザが見損ねた場合（すでに処理された過去の商品内容等を遡って見たい場合を含む）、ユーザに面する表示装置がレジ端末に存在しない場合、同じ商品が誤って２度入力された場合、適用されるべき割引が適用されていない場合等において、ユーザは、これら入力された商品の情報を確認可能となる。よって、ユーザ確認の自由度及び確実性を向上することが可能となる。
【００１７】
また、入力された商品の情報をユーザ表示装置に表示するタイミングとして、決済方法が選択されたタイミングとすることで、商品情報の表示をユーザに違和感なく開始することが可能となる。
【００１８】
前記レジ端末における前記商品の金額入力途中に前記ユーザ表示装置に表示させる商品の情報は、入力済みの全ての商品の情報が含まれてもよい。これにより、ユーザが、入力済みの商品の情報を遡って見たい場合に、任意の商品の情報を確認することが可能となる。
【００１９】
前記ユーザ通信装置は、前記レジ端末のレジ通信装置との通信により前記入力された商品の情報を受信してもよい。これにより、例えば、ネットワーク通信容量が十分に確保できない場合には、管理サーバを介して受信する場合と比較して、入力された商品の情報を迅速にユーザ表示装置に表示することが期待できる。
【００２０】
本発明の一実施形態に係る決済用ユーザ端末は、サーバに接続可能なレジ端末との間で決済情報のやりとりが可能なものであって、ユーザの操作入力を受け付ける操作入力装置と、前記サーバまたは前記レジ端末と通信するユーザ通信装置と、前記操作入力装置及び前記ユーザ通信装置を制御するユーザ制御装置とを備え、前記ユーザ制御装置は、前記レジ端末における前記商品の金額入力途中に、入力された前記商品の情報を前記サーバまたは前記レジ端末から受信して前記ユーザ表示装置に表示させることを特徴とする。
【００２１】
本実施形態によれば、レジ端末における商品の金額入力途中に、入力された商品の情報をユーザ表示装置に表示させる。従って、例えば、レジ端末の表示をユーザが見損ねた場合（すでに処理された過去の商品内容等を遡って見たい場合を含む）、ユーザに面する表示装置がレジ端末に存在しない場合、同じ商品が誤って２度入力された場合、適用されるべき割引が適用されていない場合等において、ユーザは、これら入力された商品の情報を確認可能となる。よって、ユーザ確認の自由度及び確実性を向上することが可能となる。
【００２２】
本発明の一実施形態にかかる決済システムは、サーバに接続可能なレジ端末と、決済用ユーザ端末とを含むものであって、前記レジ端末は、ユーザが購入する商品を個別に入力する商品入力装置と、入力した前記商品毎に価格を加算して合計額を算出する決済情報算出装置と、前記決済用ユーザ端末と通信するレジ通信装置と、前記ユーザ側を向いて配置されるレジ表示装置と、前記商品入力装置、前記決済情報算出装置、前記レジ通信装置及び前記レジ表示装置を制御するレジ制御装置とを備え、前記決済用ユーザ端末は、前記ユーザの操作入力を受け付ける操作入力装置と、前記サーバまたは前記レジ通信装置と通信するユーザ通信装置と、前記操作入力装置及び前記ユーザ通信装置を制御するユーザ制御装置とを備え、前記ユーザ制御装置は、前記レジ端末における商品の金額入力途中に、前記操作入力装置を介して決済方法の選択を受け付けて前記サーバまたは前記レジ端末に通知することを特徴とする。
【００２３】
本発明の一実施形態にかかるプログラムは、ユーザの操作入力を受け付ける操作入力装置と、レジ端末と通信するユーザ通信装置と、前記操作入力装置及び前記ユーザ通信装置を制御するユーザ制御装置とを備え、前記レジ端末との間で決済情報のやりとりが可能な決済用ユーザ端末上で動作するプログラムであって、前記ユーザ制御装置に、前記レジ端末における商品の金額入力途中に、前記操作入力装置を介して決済方法の選択を受け付けるステップを実行することを特徴とする。
【００２４】
本発明の一実施形態にかかるプログラムは、ユーザが購入する商品を個別に入力する商品入力装置と、入力した前記商品毎に価格を加算して合計額を算出する決済情報算出装置と、前記決済用ユーザ端末と通信するレジ通信装置と、前記ユーザ側を向いて配置されるレジ表示装置と、前記商品入力装置、前記決済情報算出装置、前記レジ通信装置及び前記レジ表示装置を制御するレジ制御装置とを備えるレジ端末と、前記ユーザの操作入力を受け付ける操作入力装置と、前記レジ通信装置と通信するユーザ通信装置と、前記操作入力装置及び前記ユーザ通信装置を制御するユーザ制御装置とを備える決済用ユーザ端末とを含む決済システム上で動作するプログラムであって、前記ユーザ制御装置に、前記レジ端末における商品の金額入力途中に、前記操作入力装置を介して決済方法の選択を受け付けるステップを実行することを特徴とする。
【発明の効果】
【００２５】
本発明の一実施形態にかかる決済用ユーザ端末等によれば、会計時（商品の金額入力途中を含む）における顧客（ユーザ）の利便性を向上するという有利な効果を奏する。
【図面の簡単な説明】
【００２６】
【図１】本発明の一実施形態にかかる決済システムの全体構成例を説明する説明図である。
【図２】本発明の一実施形態にかかる決済システムにおけるレジ端末の外観構成を説明する説明図である。
【図３】本発明の一実施形態にかかる決済システムにおけるレジ端末の機能ブロックを説明する説明図である。
【図４】本発明の一実施形態にかかる決済システムにおけるユーザ端末の外観構成を説明する説明図である。
【図５】本発明の一実施形態にかかる決済システムにおけるユーザ端末の機能ブロックを説明する説明図である。
【図６】本発明の一実施形態にかかる決済システムにおける決済管理サーバの機能ブロックを説明する説明図である。
【図７】本発明の一実施形態にかかる決済システムの動作例を説明する説明図である。
【図８】本発明の一実施形態にかかる決済システムにおけるレジ端末の動作フロー例を説明するフローチャートである。
【図９】本発明の一実施形態にかかる決済システムにおけるユーザ端末の画面例を説明する説明図である。
【図１０】本発明の一実施形態にかかる決済システムにおけるレジ端末の詳細な動作フロー例を説明するフローチャートである。
【図１１】本発明の一実施形態にかかる決済システムにおけるレジ端末の画面例を説明する説明図である。
【図１２】本発明の一実施形態にかかる決済システムにおけるユーザ端末の別の画面例を説明する説明図である。
【発明を実施するための形態】
【００２７】
本発明の一実施形態にかかる決済システムについて、図面を参照しながら詳細に説明する。図１に、本発明の一実施形態にかかる決済システムの全体構成例を示す。図１に示されるように、決済システム１０は、その最小限の構成として、決済管理サーバ（群）１１と、１以上のレジ端末１２ａ〜１２ｃと、ユーザが使用する各種情報処理装置（図１において、例示的に、スマートフォン、携帯電話、携帯情報端末あるいはタブレット端末としてのユーザ端末１３ａ〜１３ｃが示されている。以下、総称して「ユーザ端末」とも言う）とで構成され、サーバ（群）、レジ端末および各種端末間は、図１に示されるように専用回線やインターネット等の公衆回線（有線の回線として、１８）で相互に通信可能に接続されている。加えて、レジ端末とユーザ端末間は、無線による近距離通信を用いた２者間通信が可能である。なお、ユーザ端末１３ａ〜１３ｃは、決済管理サーバ（群）１１と直接通信することもできる。この場合、直接通信前にレジ端末を介した認証処理を経て当該直接通信を開始させることもできる。
また、回線は有線であっても無線であってもよく、レジ端末（における通信機能を備えた情報端末）１２ａ〜１２ｃやユーザ端末１３ａ〜１３ｂは、無線で図示しない基地局や無線ルータ等を介してインターネット１９に乗り入れ、更に回線１８を介して決済管理サーバ（群）１１と相互に通信可能に接続されている。
【００２８】
また、本願の出願時点でのユーザ端末は、ＰＣと同等の処理能力（通信処理速度や画像処理能力等）を備えているものも多く、小型のコンピュータとも言うべきものである。
【００２９】
また、本発明の実施に必要なプログラムないしソフトウェアは、通常、端末の記憶部におけるＨＤＤないしＳＳＤ等にインストールないし記憶され、プログラムないしソフトウェアの実行時には、必要に応じて記憶部内のメモリにその全部又は一部のソフトウェアモジュールとして読み出され、ＣＰＵにおいて演算実行される。
【００３０】
なお、演算実行は必ずＣＰＵ等の中央処理部で行われる必要はなく、図示しないディジタルシグナルプロセッサ（ＤＳＰ）等の補助演算装置を用いることもできる。
【００３１】
また、決済管理サーバ１１のハードウェア構成も、基本的にはＰＣを採用することができる。なお、本発明はこれに限定されるものではないが、決済管理サーバ１１は、必要に応じてそのハードウェアスペックを上げるにあたり、複数のＰＣを並列的に作動させることによって大規模データの処理に適した構成をとることもできる。
【００３２】
図２に、本発明の一実施形態にかかるレジ端末の外観構成を示す。図２において、レジ端末２００（図１の１２ａ等に対応する）は、ＰＯＳ（Point of Sales）に用いられる端末（ＰＯＳレジ）であり、筐体部２０１と、店員側ディスプレイ２０２と、顧客側ディスプレイ２０３と、決済用通信部２０４とを備える。店員側ディスプレイ２０２、顧客側ディスプレイ２０３は典型的には液晶ディスプレイ（ＬＣＤ）等で構成され、文字や画像など様々な情報を表示することができる。店員側ディスプレイ２０２は、店員側を向いており、顧客側ディスプレイ２０３は、顧客側を向いている。後述するように、顧客側ディスプレイ２０３は、決済方法の選択等に利用される。
【００３３】
また、ディスプレイ２０２、２０３には、一実施形態において、マルチタッチ入力パネルが含まれており、タッチ入力パネル上でのタッチ入力位置座標が入力デバイスインタフェース（不図示）を介してレジ端末２００の処理系（ＣＰＵ）へ送信され処理される。本発明はこれに限定されるものではないが、このマルチタッチ入力パネルは、パネルに対する複数の接触点を同時に感知することができるよう構成されている。この検出（センサ）については様々な方法で実現することができ、必ずしも接触センサに限られず、例えば、光学式のセンサを利用してパネルに対する指示点を抽出することも可能である。さらに、センサには、接触式のセンサや光学式のセンサのほか、人の肌の接触を感知する静電容量方式のセンサを用いることも可能である。
【００３４】
決済用通信部２０４は、一実施形態において、非接触ＩＣカードリーダ／ライタ（ライタ機能は省略可）が採用される。一実施形態において、決済用通信部２０４からは磁界が発生しており、これにカードをかざすと無線通信で電子マネー情報等のデータのやりとりができるように構成されている。
【００３５】
また、図２には現れていないが、レジ端末２００は、バーコードリーダまたは２次元コードリーダも備えることができる。このバーコードリーダまた２次元コードリーダは、商品に付されたバーコードや２次元コードを読み取るイメージセンサ（ＣＭＯＳ等）が実装されている。
【００３６】
図３に、本発明の一実施形態にかかるレジ端末１２において情報処理を実施するシステム（以下、「レジ端末システム」ともいう。）を構成するハードウェアの機能ブロック図を例示する。レジ端末１２の動作は、以下に説明するハードウェアの個々の動作、およびこれらの連携動作によって実現されている。
【００３７】
図３において、ハードウェアブロック全体としてのレジ端末システム３００は、大別すると、図示しないハードウェアボタン、ディスプレイに設けられたマルチタッチ入力パネル、決済用通信部２０４におけるリーダ部等で構成される入力部３０１と、プログラムやデータ等を記憶するためのハードディスク、ＲＡＭおよび／又はＲＯＭ等で構成される記憶部３０２と、プログラムによって様々な数値計算や論理演算を行うＣＰＵによって構成される中央処理部３０３と、店員側ディスプレイ２０２、顧客側ディスプレイ２０３等で構成される表示部３０４と、チップや電気系統等の制御を行うための制御部３０５と、インターネットにアクセスするためのスロットや光通信を行うためのポート、および／または専用無線回線等を介して決済管理サーバへアクセスするための通信インタフェースから構成される通信インタフェース部３０６と、決済用通信部２０４におけるライタ部、スピーカ等を含む出力部３０７と、時刻等を計時するための計時部３０８と、前記バーコードリーダを含むセンサ部３０９と、装置内の各モジュールに電源を供給するための電源部３１０とからなり、これらのモジュールは必要に応じて適宜通信バスや給電線（図３においては、便宜上各線が適宜区分された結線３１１としてひとまとめに表す）によって接続されている。
【００３８】
なお、センサ部３０９に含まれるバーコードリーダは、図示しない商品に付されているバーコードを読み取るためのイメージセンサが含まれる。また、ＣＭＯＳ等のイメージセンサ等によって検知された信号は、入力部３０１において入力情報として処理される。
【００３９】
また、本発明の実施に必要なプログラムないしソフトウェアは、通常、記憶部３０２を構成するハードディスクディスク等にインストールないし記憶され、プログラムないしソフトウェアの実行時には、必要に応じて記憶部３０２内のメモリにその全部又は一部のソフトウェアモジュールとして読み出され、ＣＰＵ３０３において演算実行される。
【００４０】
なお、演算実行は必ずしもＣＰＵ等の中央処理部３０３で行われる必要はなく、図示しないディジタルシグナルプロセッサ（ＤＳＰ）等の補助演算装置を用いることもできる。
【００４１】
図４に、本発明の一実施形態にかかるユーザ端末（情報処理装置）としてのスマートフォン（あるいは、タブレット端末でも良いが、説明の便宜上スマートフォンとする）の外観構成を示す。図４において、ユーザ端末（スマートフォン）４００（図１の１３に相当する）は、筐体部４０１と、ディスプレイ４０２と、筐体４０１の下部中央部に設けられたハードウェアボタン４０３とからなる。ディスプレイ４０２は典型的には液晶ディスプレイ（ＬＣＤ）等で構成され、文字や画像など様々な情報を表示することができる。また、ディスプレイ４０２にメニューボタンやソフトウェアキーボードを表示させ、これを指ないしタッチペン（不図示）等で触れることによりスマートフォン４００への指示（コマンド）とすることができる。この点で上記ハードウェアボタン４０３は必須の構成要素ではないが、本発明の説明の便宜上、一定の機能を担うボタンとして実装されている。もちろん、これらハードウェアボタン４０３を、ディスプレイ４０２の一部に表示させたメニューボタンで代替させることも可能である。
【００４２】
また、ディスプレイ４０２には、マルチタッチ入力パネルが含まれており、タッチ入力パネル上でのタッチ入力位置座標が入力デバイスインタフェース（不図示）を介してスマートフォン４００の処理系（ＣＰＵ）へ送信され処理される。そして、このマルチタッチ入力パネルは、パネルに対する複数の接触点を同時に感知することができるよう構成されている。この検出（センサ）については様々な方法で実現することができ、必ずしも接触センサに限られず、例えば、光学式のセンサを利用してパネルに対する指示点を抽出することも可能である。さらに、センサには、接触式のセンサや光学式のセンサのほか、人の肌の接触を感知する静電容量方式のセンサを用いることも可能である。
【００４３】
また、図４には現れていないが、スマートフォン４００は、マイクやスピーカを備えることもできる。この場合にはマイクより拾ったユーザの声などを判別して入力コマンドとすることも可能である。さらに、図４には現れていないが、スマートフォン４００の背面等には、ＣＭＯＳ等のカメラデバイスが実装されている。
【００４４】
図５に、本発明の一実施形態にかかるスマートフォン４００を構成するハードウェアの機能ブロック図を例示する。スマートフォン４００の動作は、以下に説明するハードウェアの個々の動作、およびこれらの連携動作によって実現されている。
【００４５】
図５において、ハードウェアブロック全体としてのスマートフォン５００は、大別すると、図４におけるハードウェアボタン４０３、ディスプレイ４０２に設けられたマルチタッチ入力パネル、マイク等で構成される入力部５０１と、プログラムやデータ等を記憶するためのハードディスク、ＲＡＭおよび／又はＲＯＭ等で構成される記憶部５０２と、プログラムによって様々な数値計算や論理演算を行うＣＰＵによって構成される中央処理部５０３と、ディスプレイ４０２等で構成される表示部５０４と、チップや電気系統等の制御を行うための制御部５０５と、インターネットにアクセスするためのスロットや光通信を行うためのポート、および通信インタフェースから構成される通信インタフェース部５０６と、スピーカやバイブレーション等の出力部５０７と、時刻等を計時するための計時部５０８と、ＣＭＯＳ等のイメージセンサ等からなるセンサ部５０９と、装置内の各モジュールに電源を供給するための電源部５１０とからなり、これらのモジュールは必要に応じて適宜通信バスや給電線（図５においては、便宜上各線が適宜区分された結線５１１としてひとまとめに表す）によって接続されている。
【００４６】
なお、センサ部５０９には、スマートフォン５００（図１の１３ａ等）の位置を特定するためのＧＰＳセンサモジュールが含まれる。また、センサ部５０９を構成するＣＭＯＳ等のイメージセンサ等によって検知された信号は、入力部５０１において入力情報として処理される。
【００４７】
また、本発明の実施に必要なプログラムないしソフトウェアは、通常、記憶部５０２を構成するハードディスクディスク等にインストールないし記憶され、プログラムないしソフトウェアの実行時には、必要に応じて記憶部５０２内のメモリにその全部又は一部のソフトウェアモジュールとして読み出され、ＣＰＵ５０３において演算実行される。
【００４８】
なお、演算実行は必ずしもＣＰＵ等の中央処理部５０３で行われる必要はなく、図示しないディジタルシグナルプロセッサ（ＤＳＰ）等の補助演算装置を用いることもできる。
【００４９】
図６に、本発明の一実施形態にかかる決済システムにおける決済管理サーバ（情報管理サーバ）の機能ブロック図を示す。例示的に、決済管理サーバの動作は、以下に説明するハードウェアの個々の動作、およびソフトウェアとこれらハードウェアとの連携動作によって実現されている。
【００５０】
図６において、ハードウェアブロック全体としての決済管理サーバ６００は、大別すると、各種比較・演算処理を行うためのＣＰＵ６０１と、ＲＡＭ、ＲＯＭ、フラッシュメモリ等の記憶部６０２と、キーボードやポインティングデバイス等の入力部６０３と、ディスプレイやスピーカ等の出力部６０４と、各種信号制御のための制御部６０５と、通信（インタフェース）部６０６（無線、有線を問わない）と、時刻等を計時するための計時部６０７と、電源部６０８とからなる。
【００５１】
これらのモジュールは必要に応じて適宜通信バスや給電線（図６においては、便宜上各線が適宜区分された結線６０９としてひとまとめに表す）によって接続されている。
【００５２】
また、本発明の実施に必要な決済管理サーバ６００上で実行されるプログラムないしソフトウェアは、通常、記憶部６０２を構成するハードディスクディスク、ＳＳＤ（Ｓｏｌｉｄ  Ｓｔａｔｅ  Ｄｒｉｖｅ）、フラッシュメモリ等にインストールないし記憶され、プログラムないしソフトウェアの実行時には、必要に応じて記憶部６０２内のメモリにその全部又は一部のソフトウェアモジュールとして読み出され、ＣＰＵ６０１において演算実行される。
【００５３】
なお、演算実行は必ずしもＣＰＵ６０１等の中央処理部で行われる必要はなく、図示しないディジタルシグナルプロセッサ（ＤＳＰ）等の補助演算装置を用いることもできる。
【００５４】
次に、図７の動作フローないしフローチャートを用いて、本発明にかかる一実施形態における決済システムあるいは情報処理装置（ユーザ端末）の動作を説明する。
【００５５】
図７は、本発明の一実施形態における決済システムの全体動作フローの概略を示す。図７において、「ユーザ端末」は情報処理装置であり、図１におけるユーザ端末１３ａ〜１３ｃがこれに対応し、「レジ端末」は、図１における１２ａ〜１２ｃがこれに対応する。また、「決済管理サーバ」は、図１における決済管理サーバ（群）１１がこれに対応する。また、図７中、ｔ１〜ｔ１４は時系列の流れを示し、経時的に後述する動作や処理が行われるものである。
【００５６】
まず、時刻ｔ１において、ユーザ（顧客）は、ユーザ端末を介して決済管理サーバ（あるいは、図示しないアプリケーション提供サーバ）から自身のユーザ端末を本発明にかかる情報処理装置として動作させるためのアプリケーションソフトウェアをダウンロードする（ステップＳ７０１）。このアプリケーションソフトウェアは、本発明にかかるプログラムの一部を処理するためのクライアントソフトウェアである。そして、ダウンロードしたアプリケーションソフトウェアをユーザ端末にインストールする（ステップＳ７０２）。このとき、ユーザ端末からは、必要に応じて、ユーザ登録としてユーザ自身の氏名（ニックネーム）のほか、例示的に次表のようなアカウント情報を決済管理サーバへ送信（アップロード）して登録・保存することもできる（時刻ｔ２、ステップＳ７０３、Ｓ７０４）。
【表１】
0006728460.tif 000002
上表における「決済情報」には、一例として、電子マネー決済をする場合の口座情報、クレジット決済をする場合のクレジットカード番号等を予め登録しておくことができる（この場合、図示しない本人名義等も登録事項となる。）。その他の決済に関する情報を登録させることもできる。
【００５７】
以上のデータ項目は、ユーザデータとして決済管理サーバ上で保存される（時刻ｔ３、ステップＳ７０５）。
【００５８】
次に、時刻ｔ４ａ〜ｔ５までは、顧客がユーザ端末を用いない場合に、レジ端末が取引情報を決済管理サーバに報告する通常ＰＯＳ処理が行われる。すなわち、時刻ｔ４ａにおいてＰＯＳ入力がなされ（ステップＳ７０６ａ）、レジ端末において、ある顧客に関する１回の決済処理（１以上の商品等入力による合計金額の決済処理。以下、決済処理については、単に「決済」ということもある。）が完了すると、レジ端末は、当該決済に係る決済情報を決済管理サーバに送信する（時点ｔ４ｂ、ステップＳ７０６ｂ）。ここでの決済情報には、例えば、レジ端末の識別情報（レジＩＤ）、決済金額、販売した商品の名称、数量が含まれる。レジ端末から決済情報を受信した決済管理サーバは、当該決済情報をデータベースに登録・保存する（時点ｔ４ｂ〜ｔ５、ステップＳ７０７、Ｓ７０８）。ここで行われる決済情報のやり取りは、通常のＰＯＳ処理である。図７では、１回分しか示していないが、このような通常ＰＯＳ処理は、レジ端末における決済完了毎に行われる。
【００５９】
時刻ｔ６〜ｔ１４までは、ユーザ端末を用いるユーザに対して付加サービスを提供する付加サービス処理が行われる。ここでの付加サービスには、レジ端末における複数商品の金額入力途中又は読取り途中に決済方法の選択（ないし変更）を可能とする決済方法選択サービスと、複数商品の金額入力途中又は読取り途中に、ユーザ端末で入力情報を表示可能とする入力情報表示サービスと、前述した通常ＰＯＳ処理とが含まれる。
【００６０】
具体的には、時刻ｔ６において、ＰＯＳ入力が開始される（ステップＳ７０９ａ）。ここで、会計中のレジ端末では、ユーザ端末からの要求があれば決済方法選択サービスおよび入力情報表示サービスを開始可能な待ち状態となる（ステップＳ７０９ｂ）。待ち状態では、レジ端末の顧客側ディスプレイに、ＱＲコード（登録商標）やバーコード等の二次元コードが表示される（たとえば、図１１の１１１３）。時刻ｔ７において、ユーザ端末においてアプリケーションソフトを起動した状態でこの二次元コードを読み取ることで、付加サービス処理の開始要求コマンドがレジ端末に送信される（ステップＳ７１０ａ）。従って、二次元コードには、ユーザ端末がレジ端末及び／または、決済管理サーバと通信するための条件に関する情報（たとえば、近接通信を許可させるコマンドや近接通信を行う際に任意に設定される通信伝文秘匿コード、あるいは、決済管理サーバ上に設けられた特定のウェブページへのリンクなど）が含まれている。
【００６１】
なお、本発明の一実施形態において、上記二次元コードを読み取ることで、ユーザが決済方法として二次元決済を選択したと判断させてもよい。その場合、商品の金額入力途中であるにも関わらず、ユーザは、決済方法を選択することが可能となる（この場合の処理については、ステップＳ７１０ｂ〜ステップＳ７１４ｂに後述）。
【００６２】
開始要求コマンドを受信したレジ端末は、当該開始要求コマンドに含まれるユーザ端末の識別情報（ユーザ端末ＩＤ）や認証情報を含む認証要求コマンドを、決済管理サーバに送信し、レジ端末との間で付加サービス処理を行ってよいかを確認する（ステップＳ７１１ａ）。認証要求コマンドを受信した決済管理サーバは、認証要求コマンドに含まれるユーザ端末ＩＤ、認証情報等を用いて認証を行い、レジ端末との間（あるいは、決済管理サーバとの間）で付加サービス処理を行ってよいかを判定する（ステップＳ７１２ａ）。そして、時刻ｔ８において、決済管理サーバは、判定結果をレジ端末に送信する（ステップＳ７１３ａ）。
【００６３】
判定結果を示すフラグが「付加サービス開始ＯＫ」を示す値（例えば「１」）である場合、レジ端末は、商品入力情報をユーザ端末に送信する（時刻ｔ８、ステップＳ７１４ａ）。そして、商品入力情報を受信したユーザ端末は、当該商品入力情報をユーザ端末のディスプレイ（図４の４０２）に表示する（時刻ｔ８以降、ステップＳ７１５。ユーザ端末画面としては、図１２を参照）。これにより、ユーザは、金額入力途中の商品入力情報をユーザ端末で確認することが可能となる。この商品入力情報は、レジ端末でのＰＯＳ入力処理が進行するに従い、逐次更新ないし追加されてユーザ端末のディスプレイに提示されるものである。一実施形態においては、ユーザ端末のディスプレイ上では、ＰＯＳ端末での入力処理とほぼ同期させる形で、商品入力情報を確認することができる。
【００６４】
また、他の実施形態においては、商品入力情報は、所定のタイミングで、レジ端末からユーザ端末に順次送信され、ユーザ端末のディスプレイ上では、その都度表示内容を更新させることができる。ここにいう所定のタイミングは、例えば、新たな商品が入力されたタイミング、一定期間の更新周期（例えば０．５秒毎など）等を採用することができる。一実施形態において、レジ端末からユーザ端末への商品入力情報の送信は、レジ端末における商品の入力が完了するまで行われる。一実施形態において、商品入力の完了は、例えば、店員がレジ端末で入力完了ボタンを押すことで処理される。
【００６５】
次に、時刻ｔ９においては、顧客側ディスプレイに決済コード選択に関する二次元コードが表示されている前提でこの二次元コードを読み取ることで、付加サービス処理の開始要求コマンドがレジ端末に送信される（ステップＳ７１０ｂ）。このとき、二次元コードには、ユーザ端末がレジ端末及び／または、決済管理サーバと通信するための条件に関する情報（たとえば、近接通信を許可させるコマンドや近接通信を行う際に任意に設定される通信伝文秘匿コード、あるいは、決済管理サーバ上に設けられた特定のウェブページへのリンクなど）が含まれている。
【００６６】
そして、ステップＳ７１０ｂにおいて上記二次元コードが読み取られることで、ユーザが決済方法として二次元決済を選択したと判断される。
【００６７】
開始要求コマンドを受信したレジ端末は、当該開始要求コマンドに含まれるユーザ端末の識別情報（ユーザ端末ＩＤ）や認証情報を含む認証要求コマンドを、決済管理サーバに送信し、レジ端末との間で付加サービス処理を行ってよいかを確認する（ステップＳ７１１ｂ）。認証要求コマンドを受信した決済管理サーバは、認証要求コマンドに含まれるユーザ端末ＩＤ、認証情報等を用いて認証を行い、レジ端末との間（あるいは、決済管理サーバとの間）で付加サービス処理を行ってよいかを判定する（ステップＳ７１２ｂ）。そして、時刻ｔ１０において、決済管理サーバは、判定結果をレジ端末に送信する（ステップＳ７１３ｂ）。
【００６８】
判定結果が「付加サービス開始ＯＫ」である場合、レジ端末は、商品入力情報をユーザ端末に送信する（時刻ｔ１０、ステップＳ７１４ｂ）。そして、ユーザ端末では、図示しない画面遷移などを経て決済方法を選択または変更することが可能となる。
【００６９】
上記のように、本発明の一実施形態において、二次元コード（図１１の１１１３）を読み取ることは、ユーザがユーザ端末上での商品入力情報の同期表示を要求すること、あるいは、ユーザが決済方法として二次元決済を選択することを意味する（図１１の１１１３に表示させる二次元コードの種類については、適宜変更される）。
そして、本発明の一実施形態において、二次元決済が選択されている状態で、商品入力が完了すると、時刻ｔ１１において、レジ端末は、ユーザ端末に決済確認要求コマンドを送信する（ステップＳ７１６）。決済確認要求コマンドを受信したユーザ端末は、決済確認画面（図９）をユーザディスプレイ（図４の４０２）に表示させる（ステップＳ７１７）。なお、決済確認画面では、ポイント利用ボタン（図９の９２１）を選択することでポイント利用を選択することも可能である。
【００７０】
時刻ｔ１２において、決済確認画面でユーザが決済ボタン（図９の９２０）を押すと、ユーザ端末は、決済要求コマンドをレジ端末に送信する（ステップＳ７１８）。決済要求コマンドを受信したレジ端末は、決済情報を決済管理サーバに送信する（ステップＳ７１９）。決済情報の送信は、通常ＰＯＳ処理と同等のものである。決済情報を受信した決済管理サーバは、決済情報を登録・保存した上で（ステップＳ７２０、Ｓ７２１）、レジ端末に受信確認を送信する（ステップＳ７２２）。
【００７１】
決済管理サーバから受信確認を受信したレジ端末は、図示しない電子レシートをユーザ端末に送信する（ステップＳ７２３）。電子レシートを受信したユーザ端末は、ユーザ表示装置に電子レシートの内容を表示する（時刻ｔ１３〜ｔ１４、ステップＳ７２４）。なお、レジ端末からユーザ端末への電子レシートの送信は、レジ端末から決済管理サーバへの決済情報の送信よりも前に行ってもよく、あるいは、同送信と同時に行ってもよい。
【００７２】
図７を参照して説明した動作フローで示唆されたように、本発明にかかる決済システムにおいては、ユーザ端末とレジ端末とが常に近接通信等をして通信し合う形態に限定されるのではなく、ユーザ端末がレジ端末を介して決済管理サーバ（群）と通信を行うように制御したり、ユーザ端末が決済管理サーバ（群）を介してレジ端末と通信を行うように制御したり、ユーザ端末が決済管理サーバ（群）と直接通信を行うように制御したりすることもできる。一実施形態において、ユーザ端末が決済管理サーバ（群）と通信し合うきっかけとして、レジ端末の顧客側ディスプレイに表示された二次元コード１１１３を利用することができる。
【００７３】
図８は、図７の処理に関連して、レジ端末の視点からさらに具体的な処理を示すフローチャートである。しかしながら、図８に示されたフローチャートは、図７に示されたフローに制限されるものではない（図７の詳細を示している部分もあれば、処理のバリエーションを示している場合もある）。ステップＳ８０１において、本発明の一実施形態にかかるレジ端末が電源オンされてソフトウェアが起動され、必要な初期化及び所定操作を行って図示しない会計モードに入ると（ステップＳ８０２）、ステップＳ８０３へ進む。ステップＳ８０３において、レジ端末は、商品読取りを開始するかを判定する。本発明はこれに限定されるものではないが、一実施形態において、当該判定は、例えば、最初の商品のバーコードをバーコードリーダで読み取ったか否かにより行う。商品読取りを開始する場合（ステップＳ８０３：Ｙｅｓ）、ステップＳ８０４に進む。商品読取りを開始しない場合（ステップＳ８０３：Ｎｏ）、ステップＳ８０３に戻る（ステップＳ８０３においてＮｏとなるループは、いわゆる待ち状態を構成する）。
【００７４】
ステップＳ８０４において、本発明の一実施形態にかかるレジ端末は、商品の読取りを行う商品読取制御を実行する。一実施形態において、商品読取制御は、通常読取制御（ステップＳ８１１）と、決済方法事前選択制御（ステップＳ８１２）と、読取情報表示制御（ステップＳ８１３）とを任意の組み合わせで含む。
【００７５】
通常読取制御（ステップＳ８１１）は、上述した通常ＰＯＳ処理（図７のステップＳ７０６ａ等）を実行する制御ステップであり、一実施形態において、バーコードリーダで商品のバーコードを読み取る度に、読み取った商品を特定し、商品名、価格等を店員側ディスプレイ及び顧客側ディスプレイに表示させる。さらに、読み取った商品の価格を合計額に加算していき、読取りが終了した段階で合計請求額として用いる。
【００７６】
決済方法事前選択制御（ステップＳ８１２）は、商品の金額入力途中にユーザから決済方法選択を受付け制御するための制御ステップであり、その詳細は、図１０及び図１１を参照して後述する。読取情報表示制御（ステップＳ８１３）は、レジ端末で読み取った商品の情報（会計情報を含む。）をユーザ表示装置に表示させる制御ステップである（一例として、図７のステップＳ７１４ａ）。本発明の一実施形態において、読取情報表示制御は、決済方法事前選択制御の一部として実行することができる。
【００７７】
ステップＳ８０５において、レジ端末は、商品読取りを終了するかを判定する。一実施形態において、当該判定は、例えば、店員が、レジ端末の読取り終了ボタンを押したか否かに基づいて行う。商品読取りを終了する場合（ステップＳ８０５：Ｙｅｓ）、ステップＳ８０６に進む。商品読取りを終了しない場合（ステップＳ８０５：Ｎｏ）、ステップＳ８０４に戻り、商品読取制御を継続する。
【００７８】
ステップＳ８０６において、レジ端末は、顧客あるいは顧客端末に対して決済方法を確認する。一実施形態において、決済方法の確認は、店員が口頭で顧客に問い合わせることで行う。或いは、決済方法事前選択制御（ステップＳ８１２）により、決済方法が事前に選択されている場合、当該選択された決済方法を採用することもできる。
【００７９】
ステップＳ８０７において、レジ端末は、決済処理を実行する。一実施形態において、レジ端末において店員が決済ボタンを押すことで決済処理が実行される。或いは、決済方法事前選択制御（ステップＳ８１２）により、決済方法として二次元決済が既に選択されている場合、ユーザがユーザ端末を用いて決済ボタン（図９の９２０）を押すことで決済処理が実行されてもよい。一実施形態において、決済処理の実行に際し、レジ端末は、ＰＯＳで利用するため、決済情報を決済管理サーバに送信する。
【００８０】
図８のステップＳ８０８において、レジ端末は、電子レシートのファイルをユーザ端末に送信する（図７のステップＳ７２３に対応する）。
【００８１】
（決済時のユーザ端末画面例）
図９は、本発明の一実施形態において、ユーザ端末を用いて決済をする際のユーザ端末９００の表示画面の一例である。図４の例と同様、ユーザ端末９００は、筐体部９０１と、ディスプレイ９０２と、ハードウェアボタン９０３とを有している。図９の画面では、店舗情報９１０と、日時９１１、商品名９１２、価格９１３、合計金額９１４等の文字または数字等が表示される。
【００８２】
また、図９の画面では、ユーザの操作により決済の実行を指令する決済実行ボタン９２０と、ユーザの操作によりポイントの利用を指令するポイント利用ボタン９２１とが含まれる。画面の表示内容で決済を実行する場合、ユーザは、決済実行ボタン９２０を押す。上記のように、本発明の一実施形態において、ユーザ端末を用いた決済は、予め設定された支払方法（電子マネー又はクレジットカード）を用いて行われる。また、ポイント利用ボタン９２１が押された場合、利用ポイント設定画面（図示せず）が表示され、同画面において、利用ポイント（全ポイント又は一部のポイント）をユーザが任意に指定して入力することができる。
【００８３】
また、本発明の一実施形態において、図９における決済実行ボタン９２０、ポイント利用ボタン９２１のほかに、図示されない決済方法選択（変更）ボタンを設けてもよい。本発明の一実施形態において、決済方法選択（変更）ボタンが押下されると、図示しない選択ないし変更画面へ遷移し、二次元決済からクレジット決済（あるいは、その逆）、さらには、現在選択されている決済方法から現金決済への再変更等、種々の支払い方法の選択または変更を指示入力することができる。
【００８４】
決済方法選択（変更）ボタンの存在は、合計金額確定後あるいは決済処理開始直後であっても、決済方法を変更できることを意味することが容易に理解できるであろう。
【００８５】
（決済方法の事前選択例）
図１０は、本発明の一実施形態における決済方法事前選択制御（図８のステップＳ８１２）の詳細な動作処理フローチャートである。上記のように、決済方法事前選択制御（以下「事前選択制御」ともいう。）は、商品の金額入力途中にユーザが決済方法を選択（あるいは、変更を含む。以下、単に選択という。）するための制御である。事前選択制御が開始されると、ステップＳ１００１において、レジ端末は、二次元コードを顧客側ディスプレイ（図２の２０３）に表示させる。
【００８６】
図１１は、本発明の一実施形態における顧客側ディスプレイ１１００の表示画面の一例を示す。顧客側ディスプレイ１１００は、図２の顧客側ディスプレイ２０３に相当するものであり、一実施形態において、筐体１１０１と、ディスプレイユニット１１０２とを有する。図１１の画面は、商品の金額入力途中において表示されるものであり、同図に示されるように、日時１１１０、入力された商品の名称１１１１、価格１１１２及び二次元コード１１１３並びに二次元コード用のメッセージ１１１４が含まれている。一実施形態において、メッセージ１１１４は、「二次元決済をご希望の場合は右のコードを読み取ってください」という内容であり、必要に応じて、決済方法の選択に関する説明が含まれている。
【００８７】
図７のステップＳ７０９ｂ〜Ｓ７１３ｂに関連して説明したように、顧客側ディスプレイに二次元コードが表示されている状態（図１１）で、ユーザがユーザ端末により二次元コードを読み取ると、ユーザ端末は、付加サービス処理（決済方式選択）の開始要求コマンドをレジ端末に送信する（図７のステップＳ７１０ｂ）。従って、レジ端末は、ユーザ端末から当該開始要求コマンドを受信することで、ユーザ端末により二次元コードが読み取られたと判定することができる。
【００８８】
次に、図１０に戻り、ステップＳ１００２へ進み、二次元コードの読み取りがあったかどうかが判定される。二次元コードが読み取られると（図１０のステップＳ１００２：Ｙｅｓ）、レジ端末は、ユーザ端末の認証を行う認証処理を実行する（ステップＳ１００３）。具体的には、開始要求コマンドを受信したレジ端末は、当該開始要求コマンドに含まれるユーザ端末の識別情報（ユーザ端末ＩＤ）や認証情報を含む認証要求コマンドを、決済管理サーバに送信し、レジ端末との間で付加サービス処理を行ってよいかを確認する（図７のステップＳ７１１ｂに対応）。認証要求コマンドを受信した決済管理サーバは、認証要求コマンドに含まれるユーザ端末ＩＤ、認証情報等を用いて認証を行い、レジ端末との間で付加サービス処理を行ってよいかを判定する（図７のステップＳ７１２ｂに対応）。そして、決済管理サーバは、判定結果をレジ端末に送信する（図７のステップＳ７１３ｂに対応）。
【００８９】
判定結果を示すフラグが「付加サービス開始ＯＫ」を示す値（例えば「１」）である場合、認証が成立したため、レジ端末は、認証処理を終了する。なお、判定結果を示すフラグが「付加サービス開始不可」を示す値（例えば「０」）である場合、認証が不成立であるため、レジ端末は、所定のエラー処理を行う。
【００９０】
認証が成立し、認証処理（図１０のステップＳ１００３）を終了した場合、一実施形態において、レジ端末は、決済方法として二次元決済を選択する。二次元決済とは、二次元コード（レジ端末の顧客側ディスプレイに表示される二次元コードや図１２の１２２１）を介した決済のことであり、ユーザ端末を用いた決済を意味する。一実施形態において、レジ端末の顧客側ディスプレイに表示される二次元決済用の二次元コードをユーザ端末で読み込むと、ユーザ端末上の画面は図示しない決済ページへと遷移して所定の手続きにより決済処理を行うことができる。この形態は、店舗提示型（ＭＰＭ：Merchant-Presented-Mode）と呼ばれる。
【００９１】
次いで、レジ端末は、上述した読取情報表示制御を実行する（ステップＳ１００５）。ステップＳ１００５の読取情報表示制御は、図８のステップＳ８１３の読取情報表示制御と同等のものである。上記のように、読取情報表示制御は、レジ端末で読み取った商品の情報（会計情報を含む。）をユーザ端末のディスプレイ（図４の４０１等、ユーザ表示装置）に表示させる制御である。レジ端末による読取情報表示制御に伴ってユーザ端末で表示される画面は、図１２に示す画面を用いることができる。
【００９２】
図１２は、本発明の一実施形態において、レジ端末において商品の金額入力中にユーザ端末１２００に表示される表示画面の一例である。図９の例と同様、ユーザ端末１２００は、筐体部１２０１と、ディスプレイ１２０２と、ハードウェアボタン１２０３とを有している。図１２の画面では、店舗情報１２１０と、日時１２１１、商品名１２１２、価格１２１３等の文字が表示される。読取情報表示制御を行っている時点では、商品の金額入力途中であるため、図９の決済実行ボタン９２０に相当するボタンは表示されない。読み取られた商品は商品Ｃ以降、実質的に順次リアルタイムにディスプレイ１２０２に表示されていく。
その一方、商品の金額入力途中であっても利用ポイントの設定は可能であるため、ポイント利用ボタン１２２０は表示することができる。なお、図１２において、決済実行ボタンの代わりに、決済方法選択ボタンを設け、決済方法を選択可能としてもよい。また、図１２の例では、全ての情報が一画面で表示されているが、入力した商品数が多く、商品名１２１２、価格１２１３等が一画面で表示しきれない場合、画面をスクロール可能に構成してもよい。
また、二次元コード１２２１は、二次元決済用のコードである。このコード１２２１は、商品の金額入力途中には非表示とすることもできる。一実施形態において、合計金額の算出が終わった時点でこの二次元コード１２２１をＰＯＳレジ端末側のリーダで読み込むと、決済処理が完了する。この形態は、利用者提示型（ＣＰＭ：Consumer-Presented-Mode）と呼ばれる。
【００９３】
図１０のステップＳ１００６において、レジ端末は、ユーザからポイント利用要求があったか否かを判定する。一実施形態において、当該判定は、例えば、ポイント利用ボタン１２２０（図１２）が押され、ユーザ端末から利用ポイントが通知されたか否かにより行うことができる。ポイント利用要求があった場合（ステップＳ１００６：Ｙｅｓ）、ステップＳ１００７において、レジ端末は、利用ポイントの入力を受け付ける。受け付けた利用ポイントは、決済時に用いられる。ポイント利用要求がない場合（ステップＳ１００６：Ｎｏ）、ステップＳ１００８に進む。
【００９４】
ステップＳ１００８において、レジ端末は、商品入力が終了したか否かを判定する。一実施形態において、当該判定は、例えば、レジ端末で入力完了ボタン（図示せず）が押されたか否かにより行うことができる。商品入力が終了した場合（ステップＳ１００８：Ｙｅｓ）、今回の決済方法事前選択制御を終了する（ステップＳ１００９）。商品入力が終了せず、未だ金額入力途中である場合（ステップＳ１００８：Ｎｏ）、ステップＳ１００５に戻る。
【００９５】
以上によれば、本発明の一実施形態において、レジ端末（図１の１２ａ等）における商品の金額入力途中に、ユーザ端末（図５の５００等）の入力部（図５の５０１、操作入力装置）を用いた決済方法の選択が可能となる（図７のステップＳ７１０ｂ、図１０のステップＳ１００４等）。従って、ユーザ側の任意のタイミングで決済方法を選択できるという点で、ユーザの自由度を向上することが可能となる。
【００９６】
本発明の一実施形態において、レジ端末（図１の１２ａ等）における商品の金額入力途中に、ユーザ端末（図５の５００等）の入力部（図５の５０１、操作入力装置）を介して決済方法が選択された場合、ユーザ端末の中央処理部（図５の５０３、ユーザ制御装置）は、入力された商品の情報をレジ端末から受信してディスプレイ（図４の４０２等、ユーザ表示装置）に表示させる（図７のステップＳ７１５、図１０のＳ１００５、図１２等）。
【００９７】
本実施形態によれば、レジ端末における商品の金額入力途中に、入力された商品の情報をユーザ端末のディスプレイに表示させることができる。従って、例えば、レジ端末の表示をユーザが見損ねた場合（遡って見たい場合を含む）、ユーザに面する表示装置（図２の顧客側ディスプレイ２０３等）がレジ端末に存在しない場合、同じ商品が誤って２度入力された場合、適用されるべき割引が適用されていない場合、レジ端末に顧客側ディスプレイがあっても表示桁が少ない場合、逆スクロール等によって金額入力済の商品を確認したい場合等において、ユーザが、入力された商品の情報を自在に確認可能となる。よって、ユーザの自由度を向上することが可能となる。
【００９８】
また、入力された商品の情報をユーザ端末のディスプレイに表示するタイミングとして、二次元コードが読み取られたタイミング（決済方法が選択されたタイミング）とすることで、商品情報の表示をユーザに違和感なく開始することが可能となる。
【００９９】
本発明の一実施形態において、レジ端末（図１の１２ａ等）における商品の金額入力途中にディスプレイ（図４の４０２等、ユーザ表示装置）に表示させる商品の情報は、入力済みの全ての商品の情報が含まれる（図１２）。これにより、ユーザが、入力済みの商品の情報を遡って見たい場合に、任意の商品の情報を確認することが可能となる。
【０１００】
本発明の一実施形態において、ユーザ端末（図５の５００等）の通信インタフェース部（図５の５０６等、ユーザ通信装置）は、レジ端末（図３の３００等）の通信インタフェース部（図３の３０６等、レジ通信装置）との２者間無線通信により入力された商品の情報を受信した（図７のステップＳ７１４ａ、図１０のＳ１００５）。しかしながら、本発明はこれに限定されるものではなく、ユーザ端末が、レジ端末を介して決済管理サーバ（図１の１１等）と通信し合ったり、ユーザ端末が、決済管理サーバ（群）を介してレジ端末と通信し合ったり、ユーザ端末が、決済管理サーバ（図１の１１等）と直接通信し合ったりして、入力された商品の情報をディスプレイ（図４の４０２等、ユーザ表示装置）に表示させることも可能である。
【０１０１】
（バリエーション）
上述した実施形態では、商品の入力（読取り）にバーコードリーダを用いたが、カメラ画像から商品自体を認識する方法、ＩＣタグの利用等により商品を入力する方法を採用することもできる。
【０１０２】
また、レジ端末からユーザ端末への商品情報の送信は、両者の間で直接的に（２者間通信で）行われても、間接的に（公衆回線経由で）行われてもよい。
【０１０３】
また、レジ端末とユーザ端末とで通信を開始する際、ユーザ端末からレジ端末に直接通信を開始したが（たとえば、図７のステップＳ７１０ａ、図１０のステップＳ１００２等）、通信開始時には、一旦、ユーザ端末が決済管理サーバに対して通信を行い（付加サービス処理の開始要求コマンドを送信し）、決済管理サーバがレジ端末に対してユーザ端末との通信を開始するよう指令することで、レジ端末とユーザ端末の通信を開始してもよい。
【０１０４】
また、ユーザ端末が二次元コードを読み取ることが、ユーザが決済方法として二次元決済を選択することを意味したが（たとえば、図１０のステップＳ１００２、Ｓ１００４）、二次元コードの読取り後に図示しない決済方法選択画面をユーザ端末に表示させて、ユーザが任意の決済方法を選択可能にしてもよい。
【０１０５】
また、決済方法の変更及び／またはユーザ端末における商品情報の表示を、二次元コードの読取りを契機として行っても、その他のコードの読取りやユーザ入力操作等を契機としてもよい。また、決済方法の変更及びユーザ端末における商品情報の表示の契機はそれぞれ別個に（例えば、別々の二次元コードの読取りを契機に）してもよい。
【０１０６】
また、ユーザ端末が二次元コードを読み取った時点で決済方法の変更がレジ端末に通知されたが（たとえば、図１０のステップＳ１００４）、実際に決済をする段階でユーザ端末からレジ端末に通知されてもよい。
【０１０７】
以上、具体例に基づき、決済システム等の実施形態を説明したが、本発明の実施形態としては、システム又は装置を実施するための方法又はプログラムの他、プログラムが記録された記憶媒体（一例として、光ディスク、光磁気ディスク、ＣＤ−ＲＯＭ、ＣＤ−Ｒ、ＣＤ−ＲＷ、磁気テープ、ハードディスク、メモリカード）等としての実施態様をとることも可能である。
【０１０８】
また、プログラムの実装形態としては、コンパイラによってコンパイルされるオブジェクトコード、インタプリタにより実行されるプログラムコード等のアプリケーションプログラムに限定されることはなく、オペレーティングシステムに組み込まれるプログラムモジュール等の形態であっても良い。
【０１０９】
さらに、プログラムは、必ずしも制御基板上のＣＰＵにおいてのみ、全ての処理が実施される必要はなく、必要に応じて基板に付加された拡張ボードや拡張ユニットに実装された別の処理ユニット（ＤＳＰ等）によってその一部又は全部が実施される構成とすることもできる。
【０１１０】
本明細書（特許請求の範囲、要約、および図面を含む）に記載された構成要件の全ておよび／又は開示された全ての方法又は処理の全てのステップについては、これらの特徴が相互に排他的である組合せを除き、任意の組合せで組み合わせることができる。
【０１１１】
また、本明細書（特許請求の範囲、要約、および図面を含む）に記載された特徴の各々は、明示的に否定されない限り、同一の目的、同等の目的、または類似する目的のために働く代替の特徴に置換することができる。したがって、明示的に否定されない限り、開示された特徴の各々は、包括的な一連の同一又は均等となる特徴の一例にすぎない。
【０１１２】
さらに、本発明は、上述した実施形態のいずれの具体的構成にも制限されるものではない。本発明は、本明細書（特許請求の範囲、要約、および図面を含む）に記載された全ての新規な特徴又はそれらの組合せ、あるいは記載された全ての新規な方法又は処理のステップ、又はそれらの組合せに拡張することができる。
【符号の説明】
【０１１３】
１０  決済システム
１１  決済管理サーバ（群）
１２ａ〜１２ｃ  レジ端末
１３ａ〜１３ｃ  決済用ユーザ端末（スマートフォン等のユーザ端末、情報処理装置）
１９  公衆回線（専用線、インターネット等）
２０３  顧客側ディスプレイ（レジ表示装置）
３０１  入力部（商品入力装置）
３０３  中央処理部（決済情報算出装置、レジ制御装置）
３０６  通信インタフェース部（レジ通信装置）
５０１  入力部（操作入力装置）
５０３  中央処理部（ユーザ制御装置）
５０６  通信インタフェース部（ユーザ通信装置）
【要約】
【課題】  会計時（特に、商品の金額入力途中）における顧客（ユーザ）の利便性を向上する決済用ユーザ端末および決済システム並びにこれらで実行されるプログラムを提供する。
【解決手段】  サーバに接続可能なレジ端末との間で決済情報のやりとりが可能な決済用ユーザ端末であって、ユーザの操作入力を受け付ける操作入力装置と、前記サーバまたは前記レジ端末と通信するユーザ通信装置と、前記操作入力装置及び前記ユーザ通信装置を制御するユーザ制御装置とを備え、前記ユーザ制御装置は、前記レジ端末における商品の金額入力途中に、前記操作入力装置を介して決済方法の選択を受け付ける。
【選択図】  図７【図１】
0006728460.tif 000003
【図２】
0006728460.tif 000004
【図３】
0006728460.tif 000005
【図４】
0006728460.tif 000006
【図５】
0006728460.tif 000007
【図６】
0006728460.tif 000008
【図７】
0006728460.tif 000009
【図８】
0006728460.tif 000010
【図９】
0006728460.tif 000011
【図１０】
0006728460.tif 000012
【図１１】
0006728460.tif 000013
【図１２】
0006728460.tif 000014